(57)【要約】  通信システムにおけるフレーム構成方法及びシステムを提供する。上記方法は、１つのマルチフレームを構成するフレームの個数を決定するステップと、上記決定されたフレームの個数に従ってフレームを構成するステップとを含み、上記フレームの個数は、少なくとも２つであり、第１のフレームは、第２のフレームと時間的に区別され、各フレームは、ダウンリンクサブフレーム及びアップリンクサブフレームを含む。
2010519843.tif 000002
【特許請求の範囲】
【請求項１】
通信システムにおけるマルチフレーム構成方法であって、
１つのマルチフレームを構成するフレームの個数を決定するステップと、
前記決定されたフレームの個数に従ってフレームを構成するステップと、
を有し、
前記フレームの個数は、少なくとも２つであり、
第１のフレームは、第２のフレームと時間的に区別され、
各フレームは、ダウンリンクサブフレーム及びアップリンクサブフレームを有し、
前記第１のフレームのダウンリンクサブフレームは、基地局と移動端末間の同期の取得のために使用される基準信号を送信するための第１の領域と、システム情報及び前記マルチフレームに関連した共通制御情報を含む第２の領域と、データバーストの割当て情報及び変調方式情報を含む第３の領域と、ダイバーシティモードでダウンリンクデータバーストが割り当てられる第４の領域と、帯域適応変調及び符号化（ＡＭＣ）モードでダウンリンクデータバーストが割り当てられる第５の領域とを有し、
前記第２のフレームのダウンリンクサブフレームは、データバーストの割当て情報及び変調方式情報を含む第６の領域と、ダイバーシティモードでデータバーストが割り当てられる第７の領域と、ＡＭＣモードでデータバーストが割り当てられる第８の領域と、を有することを特徴とするマルチフレーム構成方法。
【請求項２】
前記第１のフレームのダウンリンクサブフレームは第９の領域を有し、前記第２のフレームのダウンリンクサブフレームは、第１０の領域を有し、各領域はミッドアンブル信号をそれぞれ送信することを特徴とする請求項１に記載のマルチフレーム構成方法。
【請求項３】
前記マルチフレームは、８個のフレームを有し、前記８個のフレームの各々は、実際に２．５ｍｓの長さを有することを特徴とする請求項１に記載のマルチフレーム構成方法。
【請求項４】
前記マルチフレームは、４個のフレームを有し、前記４個のフレームの各々は、実際に５ｍｓの長さを有することを特徴とする請求項１に記載のマルチフレーム構成方法。
【請求項５】
前記第１のフレームのアップリンクサブフレームは、アップリンク制御のための第１１の領域と、多入力多出力（ＭＩＭＯ）モードでアップリンクデータバーストが割り当てられる第１２の領域と、ダイバーシティモードでアップリンクデータバーストが割り当てられる第１３の領域と、帯域ＡＭＣモードでアップリンクデータバーストが割り当てられる第１４の領域と、を有することを特徴とする請求項１に記載のマルチフレーム構成方法。
【請求項６】
前記第２のフレームのアップリンクサブフレームは、アップリンク制御のための第１５の領域と、多入力多出力（ＭＩＭＯ）モードでアップリンクデータバーストが割り当てられる第１６の領域と、ダイバーシティモードでアップリンクデータバーストが割り当てられる第１７の領域と、帯域ＡＭＣモードでアップリンクデータバーストが割り当てられる第１８の領域と、を有することを特徴とする請求項１に記載のマルチフレーム構成方法。
【請求項７】
前記第２のフレームのアップリンクサブフレームは、ダイバーシティ単一入力単一出力（ＳＩＳＯ）モードに従って全周波数帯域でアップリンクデータバーストが割り当てられる第１９の領域をさらに有することを特徴とする請求項６に記載のマルチフレーム構成方法。
【請求項８】
前記第４の領域と前記第５の領域とは、前記第４の領域と前記第５の領域との周波数帯域により区別されることを特徴とする請求項１に記載のフレーム構成方法。
【請求項９】
通信システムであって、
１つのマルチフレームを構成するフレームの個数を決定し、前記決定されたフレームの個数に従ってフレームを構成する基地局を有し、
前記フレームの個数は、少なくとも２つであり、
第１のフレームは、第２のフレームと時間的に区別され、
各フレームは、ダウンリンクサブフレーム及びアップリンクサブフレームを有し、
前記第１のフレームのダウンリンクサブフレームは、基地局と移動端末間の同期の取得のために使用される基準信号を送信するための第１の領域と、システム情報及び前記マルチフレームに関連した共通制御情報を含む第２の領域と、データバーストの割当て情報及び変調方式情報を含む第３の領域と、ダイバーシティモードでダウンリンクデータバーストが割り当てられる第４の領域と、帯域適応変調及び符号化（ＡＭＣ）モードでダウンリンクデータバーストが割り当てられる第５の領域と、を有し、
前記第２のフレームのダウンリンクサブフレームは、データバーストの割当て情報及び変調方式情報を含む第６の領域と、ダイバーシティモードでデータバーストが割り当てられる第７の領域と、ＡＭＣモードでデータバーストが割り当てられる第８の領域と、を有することを特徴とする通信システム。
【請求項１０】
前記第１のフレームのダウンリンクサブフレームは第９の領域を有し、前記第２のフレームのダウンリンクサブフレームは第１０の領域を有し、各領域は、ミッドアンブル信号をそれぞれ送信することを特徴とする請求項９に記載の通信システム。
【請求項１１】
前記マルチフレームは、８個のフレームを有し、前記８個のフレームの各々は、実際に２．５ｍｓの長さを有することを特徴とする請求項９に記載の通信システム。
【請求項１２】
前記マルチフレームは、４個のフレームを有し、前記４個のフレームの各々は、実際に５ｍｓの長さを有することを特徴とする請求項９に記載の通信システム。
【請求項１３】
前記第１のフレームのアップリンクサブフレームは、アップリンク制御のための第１１の領域と、多入力多出力（ＭＩＭＯ）モードでアップリンクデータバーストが割り当てられる第１２の領域と、ダイバーシティモードでアップリンクデータバーストが割り当てられる第１３の領域と、帯域ＡＭＣモードでアップリンクデータバーストが割り当てられる第１４の領域と、を有することを特徴とする請求項９に記載の通信システム。
【請求項１４】
前記第２のフレームのアップリンクサブフレームは、アップリンク制御のための第１５の領域と、多入力多出力（ＭＩＭＯ）モードでアップリンクデータバーストが割り当てられる第１６の領域と、ダイバーシティモードでアップリンクデータバーストが割り当てられる第１７の領域と、帯域ＡＭＣモードでアップリンクデータバーストが割り当てられる第１８の領域と、を有することを特徴とする請求項９に記載の通信システム。
【請求項１５】
前記第２のフレームのアップリンクサブフレームは、ダイバーシティ単一入力単一出力（ＳＩＳＯ）モードに従って全周波数帯域でアップリンクデータバーストが割り当てられる第１９の領域をさらに有することを特徴とする請求項１４に記載の通信システム。
【請求項１６】
前記第４の領域と前記第５の領域とは、前記第４の領域と前記第５の領域との周波数帯域により区別されることを特徴とする請求項９に記載の通信システム。
【請求項１７】
通信システムにおける基地局がフレーム構成に従う信号を送信する方法であって、
第１の領域のリソースを用いてプリアンブル信号を送信するステップと、マルチフレームは、少なくとも２つのフレームを有し、前記少なくとも２つのフレームの各々は、ダウンリンクサブフレームとアップリンクサブフレームとを有し、前記ダウンリンクサブフレームは、前記第１の領域、第２の領域、第３の領域、及び第４の領域を有し、前記アップリンクサブフレームは、第５の領域及び第６の領域を有し、
前記第２の領域のリソースを用いて前記マルチフレームに関連した共通制御情報を送信するステップと、
前記第３の領域のリソースを用いてダイバーシティモードで少なくとも１つのダウンリンクデータバーストを送信するステップと、
前記第４の領域のリソースを用いて帯域適応変調及び符号化（ＡＭＣ）モードで少なくとも１つのダウンリンクデータバーストを送信するステップと、
前記第５の領域のリソースを用いて前記ダイバーシティモードで移動端末により送信される少なくとも１つのアップリンクデータバーストを指定するステップと、
前記第６の領域のリソースを用いて前記帯域ＡＭＣモードで前記移動端末により送信される少なくとも１つのアップリンクデータバーストを指定するステップと、
を有することを特徴とする方法。
【請求項１８】
前記第４の領域と前記第５の領域とは、前記第４の領域と前記第５の領域との周波数帯域により区別されることを特徴とする請求項１７に記載の方法。
【請求項１９】
前記プリアンブル信号及び前記共通制御情報は、各マルチフレームに対して１回送信されることを特徴とする請求項１７に記載の方法。
【請求項２０】
前記マルチフレームは、８個のフレームを有し、前記８個のフレームの各々は、実際に２．５ｍｓの長さを有することを特徴とする請求項１７に記載の方法。
【請求項２１】
前記マルチフレームは、４個のフレームを有し、前記４個のフレームの各々は、実際に５ｍｓの長さを有することを特徴とする請求項１７に記載の方法。
【請求項２２】
第７の領域のリソースを用いてミッドアンブルを送信するステップをさらに有し、前記ダウンリンクサブフレームは、前記第７の領域をさらに有することを特徴とする請求項１７に記載の方法。
【請求項２３】
前記マルチフレームに含まれている少なくとも２つのフレームの中で前記第１の領域及び前記第２の領域を含まないダウンリンクサブフレームを構成するフレームで、前記基地局が、第８の領域のリソースを用いてダイバーシティ単一入力単一出力（ＳＩＳＯ）モードでダウンリンクデータバーストを送信するステップをさらに有し、前記ダウンリンクサブフレームは、前記第８の領域をさらに有することを特徴とする請求項１７に記載の方法。
【請求項２４】
第９の領域のリソースを用いてマップ（ＭＡＰ）情報を送信するステップをさらに有し、前記ダウンリンクサブフレームは、前記第９の領域をさらに有することを特徴とする請求項１７に記載の方法。
【発明の詳細な説明】
【技術分野】
【０００１】
本発明は、通信システムに関し、特に、通信システムにおけるフレーム構成方法及びシステムに関する。
【背景技術】
【０００２】
次世代通信システムが、発展してきており、それは無線近距離通信ネットワーク（Wireless Local Area Network：以下、“ＷＬＡＮ”と称する。）及び無線都市地域ネットワーク（Wireless Metropolitan Area Network：以下、“ＷＭＡＮ”と称する。）のような広帯域無線接続（Broadband Wireless Access：以下、“ＢＷＡ”と称する。）通信システムに移動性とサービス品質（Quality of Service：以下、“ＱｏＳ”と称する。）とを保証することができる。その主要通信システムは、ＩＥＥＥ（Institute of Electrical and Electronics Engineers）８０２．１６ｅ通信システムである。
【０００３】
ＩＥＥＥ８０２．１６ｅ通信システムは、無線ＭＡＮシステムの物理チャネルに広帯域送信網を支援するために、直交周波数分割多重（Orthogonal Frequency Division Multiplexing：以下、“ＯＦＤＭ”と称する。）／直交周波数分割多重接続（Orthogonal Frequency Division Multiple Access：以下、“ＯＦＤＭＡ”と称する。）方式を適用する通信システムである。
【０００４】
また、ＩＥＥＥ８０２．１６ｅ通信システムは、様々な送信方法を支援するために時分割多重送信方式を使用する。この時分割多重送信方式は、フレームごとにユーザが初期アクセスの際に最小の遅延でシステムにアクセスするようにするプリアンブルを送信する。さらに、この時分割多重送信方式は、時間により分割された様々なサービスを介してユーザの所定の状況に対する最適の送信方式を支援する。
【０００５】
図１は、従来の通信システムにおけるフレームの構成を示す図である。図１に示す例は、時分割複信（Time Division Duplexing：以下、“ＴＤＤ”と称する）フレーム構成に対応する。
【０００６】
図１を参照すると、このフレームは、ダウンリンク（Downlink：以下、“ＤＬ”と称する。）サブフレーム１００と、アップリンク（Uplink：以下、“ＵＬ”と称する。）サブフレーム１５０と、を含む。ＤＬサブフレーム１００は、プリアンブル領域１１０と、フレーム制御ヘッダー（Frame Control Header：以下、“ＦＣＨ”と称する。）領域１２０と、マップ（以下、“ＭＡＰ”と称する。）領域（例えば、ＤＬ-ＭＡＰ／ＵＬ-ＭＡＰ領域）１３０と、ＤＬバースト領域１４０-１乃至１４０-５と、を含む。ＵＬサブフレーム１５０は、ＵＬコントロール領域１６０と、ＵＬバースト領域１７０-１乃至１７０-３と、を含む。
【０００７】
プリアンブル領域１１０内において、プリアンブル信号は、信号送信装置（例えば、基地局）と信号受信装置（例えば、移動端末）間の同期のために送信される。ＦＣＨ領域１２０は、ＦＣＨを運搬し、これは、ＭＡＰ領域に適用された変調方式及びＭＡＰ領域の長さに関する情報を含む。
【０００８】
ＤＬ-ＭＡＰ／ＵＬ-ＭＡＰ領域１３０において、ＤＬ-ＭＡＰメッセージ及びＵＬ-ＭＡＰメッセージが送信され、ＤＬ-ＭＡＰメッセージ及びＵＬ-ＭＡＰメッセージは、各移動端末に割り当てられたＤＬバースト領域及びＵＬバースト領域が存在するか否かを示す情報と、この各移動端末に割り当てられたＤＬバースト領域及びＵＬバースト領域が存在する場合に、ＤＬバースト領域及びＵＬバースト領域に適用された位置及び変調方式に関する情報を含む。すべての移動端末がＤＬ-ＭＡＰメッセージ及びＵＬ-ＭＡＰメッセージの受信を要求するために、ＤＬ-ＭＡＰメッセージ及びＵＬ-ＭＡＰメッセージは、通信システムにおいて使用可能な変調及び符号化方式（Modulation and Coding Scheme：以下、“ＭＣＳ”と称する。）レベルの中で最も頑強な（robust）ＭＣＳレベルに従って変調及び符号化がなされた後に送信される。
【０００９】
また、保護領域である送信／受信切り替えのギャップ（Transmit/Receive Transition Gap：以下、“ＴＴＧ”と称する。）１８０は、ＤＬサブフレームとＵＬサブフレーム間に挿入され、受信／送信切替えのギャップ（Receive/Transmit Transition Gap：以下、“ＲＴＧ”と称する。）１９０は、フレーム間に挿入される。
【００１０】
図２は、従来の通信システムにおける様々な送信方法をサポートするフレームの構成を示す図である。図２に示す例は、時分割多重方式に従って複数のゾーンを順次に送信するために使用されるフレーム構成に対応する。
【００１１】
図２を参照すると、このフレームは、複数のゾーンを含む。具体的には、このフレームは、プリアンブルゾーン２１０と、 部分サブチャネルの活用（Partial Usage of Sub-channels：以下、“ＰＵＳＣ”と称する。）ゾーン２２０と、全体サブチャネルの活用（Full Usage of Sub-channels：以下、“ＦＵＳＣ”と称する。）領域２３０と、タイルサブチャネルの活用（Tile Usage of Sub-channels：以下、“ＴＵＳＣ”と称する。）領域２４０と、帯域適応変調及び符号化（Adaptive Modulation and Coding：以下、“ＡＭＣ”と称する。）領域２５０と、適応アンテナシステム（Adaptive Antenna System：以下、“ＡＡＳ”と称する。）ゾーン２６０と、を含む。
【００１２】
ＰＵＳＣゾーン２２０乃至ＡＡＳゾーン２６０は、このフレームのサブチャネル割当て方式に従って相互に区別され、このゾーンに関連した情報は、図１のＤＬフレーム１００内のＭＡＰ領域で送信される。
【００１３】
上述したように、従来の構成において、基地局は、フレーム毎にプリアンブルを移動端末に送信し、時分割多重方式に従って複数の送信方式を支援する。したがって、従来の通信システムのフレーム構成は、増加されたＭＡＰサイズ及び増加されたシステムオーバーヘッドを必然的に有せざるを得ない。
【発明の概要】
【発明が解決しようとする課題】
【００１４】
したがって、本発明は、上述した従来技術の問題点を解決するために提案されたものであり、その目的は、通信システムにおけるフレーム構成方法及びシステムを提供することにある。
【００１５】
本発明の他の目的は、通信システムにおける様々な送信方式を支援するフレーム構成方法及びシステムを提供することにある。
【００１６】
本発明のさらなる目的は、通信システムにおけるシステムオーバーヘッドを減少させることができるフレーム構成方法及びシステムを提供することにある。
【課題を解決するための手段】
【００１７】
上記のような目的を達成するために、本発明の実施形態の一態様によれば、通信システムにおけるマルチフレーム構成方法を提供する。上記方法は、１つのマルチフレームを構成するフレームの個数を決定するステップと、上記決定されたフレームの個数に従ってフレームを構成するステップとを有し、上記フレームの個数は、少なくとも２つであり、第１のフレームは、第２のフレームと時間的に区別され、各フレームは、ダウンリンクサブフレーム及びアップリンクサブフレームを有し、上記第１のフレームのダウンリンクサブフレームは、基地局と移動端末間の同期の取得のために使用される基準信号を送信するための第１の領域と、システム情報及び上記マルチフレームに関連した共通制御情報を含む第２の領域と、データバーストの割当て情報及び変調方式情報を含む第３の領域と、ダイバーシティモードでダウンリンクデータバーストが割り当てられる第４の領域と、帯域適応変調及び符号化（ＡＭＣ）モードでダウンリンクデータバーストが割り当てられる第５の領域とを有し、上記第２のフレームのダウンリンクサブフレームは、データバーストの割当て情報及び変調方式情報を含む第６の領域と、ダイバーシティモードでデータバーストが割り当てられる第７の領域と、ＡＭＣモードでデータバーストが割り当てられる第８の領域と、を有することを特徴とする。
【００１８】
本発明の実施形態の他の態様によれば、通信システムを提供する。上記通信システムは、１つのマルチフレームを構成するフレームの個数を決定し、上記決定されたフレームの個数に従ってフレームを構成する基地局を有し、上記フレームの個数は、少なくとも２つであり、第１のフレームは、第２のフレームと時間的に区別され、各フレームは、ダウンリンクサブフレーム及びアップリンクサブフレームを有し、上記第１のフレームのダウンリンクサブフレームは、基地局と移動端末間の同期の取得のために使用される基準信号を送信するための第１の領域と、システム情報及び上記マルチフレームに関連した共通制御情報を含む第２の領域と、データバーストの割当て情報及び変調方式情報を含む第３の領域と、ダイバーシティモードでダウンリンクデータバーストが割り当てられる第４の領域と、帯域適応変調及び符号化（ＡＭＣ）モードでダウンリンクデータバーストが割り当てられる第５の領域とを有し、上記第２のフレームのダウンリンクサブフレームは、データバーストの割当て情報及び変調方式情報を含む第６の領域と、ダイバーシティモードでデータバーストが割り当てられる第７の領域と、ＡＭＣモードでデータバーストが割り当てられる第８の領域と、を有することを特徴とする。
【００１９】
本発明の実施形態のさらに他の態様によれば、通信システムにおける基地局がフレーム構成に従う信号を送信する方法を提供する。上記方法は、第１の領域のリソースを用いてプリアンブル信号を送信するステップと、マルチフレームは、少なくとも２つのフレームを有し、上記少なくとも２つのフレームの各々は、ダウンリンクサブフレームとアップリンクサブフレームとを有し、上記ダウンリンクサブフレームは、上記第１の領域、第２の領域、第３の領域、及び第４の領域を有し、上記アップリンクサブフレームは、第５の領域及び第６の領域を有し、上記第２の領域のリソースを用いて上記マルチフレームに関連した共通制御情報を送信するステップと、上記第３の領域のリソースを用いてダイバーシティモードで少なくとも１つのダウンリンクデータバーストを送信するステップと、上記第４の領域のリソースを用いて帯域適応変調及び符号化（ＡＭＣ）モードで少なくとも１つのダウンリンクデータバーストを送信するステップと、上記第５の領域のリソースを用いて上記ダイバーシティモードで移動端末により送信される少なくとも１つのアップリンクデータバーストを指定するステップと、上記第６の領域のリソースを用いて上記帯域ＡＭＣモードで上記移動端末により送信される少なくとも１つのアップリンクデータバーストを指定するステップと、を有することを特徴とする。
【発明の効果】
【００２０】
本発明の実施形態で提案したマルチフレーム構成は、従来のフレームより低いオーバーヘッドを有し、従来のフレームより短い最小フレームの長さを有し、これにより、フィードバック遅延を減少させ、システム歩留まりを増加させる。また、本発明の実施形態は、このマルチフレーム内のバースト領域を単一ゾーンに構成することにより、様々な送信技術を支援することができる。その結果、本発明の実施形態は、追加的なオーバーヘッドの発生を減少させることができるという長所がある。
【図面の簡単な説明】
【００２１】
【図１】従来の通信システムにおけるフレームの構成を示す図である。
【図２】従来の通信システムにおける様々な送信方法をサポートするフレームの構成を示す図である。
【図３】本発明の実施形態による通信システムにおけるフレームの構成を示す図である。
【図４】本発明の実施形態による通信システムにおけるＤＬサブフレームの構成を詳細に示す図である。
【図５】本発明の実施形態による通信システムにおけるＵＬサブフレームの構成を示す図である。
【図６】本発明の実施形態による通信システムにおける基地局のフレーム生成過程を示すフロー図である。
【図７】本発明の実施形態による通信システムにおける移動端末のフレーム復号過程を示すフロー図である。
【発明を実施するための形態】
【００２２】
本発明の詳細な構成および要素のような本発明の詳細な説明で定義される特徴は、本発明の実施形態の包括的な理解を助けるために提供されるものであり、ただ１つの実施形態にすぎない。したがって、本発明の範囲及び趣旨を逸脱することなく、ここに説明された実施形態の様々な変更及び変形が可能であるということは、当該技術分野における通常の知識を有する者には明らかである。また、明瞭性と簡潔性の観点から、当業者に良く知られている機能や構成に関する具体的な説明は、省略する。
【００２３】
本発明の実施形態は、通信システムにおいて、様々な送信技術を支援しつつもシステムオーバーヘッドを減少させることができるフレーム構成方法及びシステムを提案する。後述する本発明の実施形態は、マルチフレーム構成を提案する。言い換えれば、本発明の実施形態は、プリアンブル領域のシステムオーバーヘッドを減少させ、周波数分割多重（Frequency Division Multiplex：以下、“ＦＤＭ”と称する。）方式に従ってマップ（以下、“ＭＡＰ”と称する。）を送信することにより、全システムのオーバーヘッドを減少させるフレーム構成方法及びシステムを提案する。
【００２４】
また、本発明の実施形態は、このフレーム内のバースト領域を単一ゾーンとして構成し、様々な送信方式を支援できるフレーム構成方法及び装置を提案する。説明の便宜上、本発明の実施形態の下記の説明は、ＩＥＥＥ８０２．１６通信システムに基づいている。しかしながら、本発明の実施形態で提案するフレーム構成方法及びシステムは、他の通信システムにも適用可能である。
【００２５】
また、本発明の実施形態で提案するマルチフレーム構成は、少なくとも２つのフレームを含み、各フレームは、実際に２．５ｍｓ及び５ｍｓの中の１つの長さを有する。
【００２６】
図３は、本発明の実施形態による通信システムにおけるフレームの構成を示す図である。
【００２７】
図３を参照すると、このフレームは、複数のフレームを含むマルチフレーム３００の構成を有し、このフレームの個数は、この複数のフレームのそれぞれの長さに従って変更される。言い換えれば、マルチフレーム３００は、実際に２．５ｍｓの長さを有する８個のフレームを含むか、又は実際に５ｍｓの長さを有する４個のフレームを含む。以下では、マルチフレーム３００の各フレームが実際に５ｍｓの長さを有する例に基づいて説明する。
【００２８】
１番目のフレーム３０１は、ダウンリンク（Downlink：以下、“ＤＬ”と称する。）サブフレーム３０５と、アップリンク（Uplink：以下、“ＵＬ”と称する。）サブフレーム３０７と、を含む。
【００２９】
ＤＬサブフレーム３０５は、プリアンブル領域３１０と、ブロードキャストチャネル（Broadcasting Channel：以下、“ＢＣＨ”と称する。）領域３１２と、ＭＡＰヘッダー領域３１４と、複数のＭＡＰ領域３１６-１、３１６-２、及び３１６-３と、ＤＬバースト領域３１８-１乃至３１８-３と、を含む。ＤＬバースト領域３１８-１乃至３１８-３は、ダイバーシティモードのために割り当てられたＤＬバースト領域３１８-１と、帯域ＡＭＣモードのために割り当てられたＤＬバースト領域３１８-２と、多入力多出力（Multiple Input Multiple Output：以下、“ＭＩＭＯ”と称する。）ミッドアンブル領域３１８-３と、を含む。
【００３０】
ＵＬサブフレーム３０７は、ＵＬコントロール領域３２０と、ＵＬバースト領域３２４-１、３２４-２、及び３２４-３と、を含む。ＵＬバースト領域３２４-１、３２４-２、及び３２４-３は、ＭＩＭＯモードのために割り当てられたＵＬバースト領域３２４-１と、一般的なＵＬバースト領域３２４-２と、帯域ＡＭＣモードのために割り当てられたＵＬバースト領域３２４-３とを含む。
【００３１】
ＤＬサブフレーム３０５のプリアンブル領域３１０において、プリアンブル信号は、信号送信装置（例えば、基地局）と信号受信装置（例えば、移動端末）間の同期取得のために送信される。また、プリアンブル領域３１０のコンテンツは、マルチフレーム３００毎に１回だけ送信される。ＢＣＨ領域３１２は、システム情報及びマルチフレーム情報を含み、カバレッジの確保のためにセクタースクランブリング及び１／１２の符号化率を支援する。ここで、このマルチフレーム情報は、すべての移動端末が共通に受信すべきブロードキャスト制御情報を意味する。
【００３２】
ＭＡＰヘッダー領域３１４及びＭＡＰ領域３１６-１、３１６-２、及び３１６-３は、８個のシンボル期間の各々に位置することができ、ＦＤＭを使用して区別される。また、ＭＡＰヘッダー領域３１４は、ＭＡＰサイズ情報及び複数のＭＡＰの変調及び符号化方式（Modulation and Coding Scheme：以下、“ＭＣＳ”と称する。）情報を含む。さらに、ＭＡＰ領域３１６-１、３１６-２、及び３１６-３は、相互に異なるＭＣＳレベル及びパワーブースティングレベルを有するように設定されることができる。
【００３３】
ＤＬバースト領域は、ダイバーシティモードのために割り当てられたＤＬバースト領域３１８-１と、帯域ＡＭＣモードのために割り当てられたＤＬバースト領域３１８-２と、ＭＩＭＯミッドアンブル領域３１８-３と、を含む。
【００３４】
また、ＵＬサブフレーム３０７のＵＬバースト領域は、ＭＩＭＯモードのために割り当てられたＵＬバースト領域３２４-１と、一般的なＵＬバースト領域３２４-２と、帯域ＡＭＣモードのために割り当てられたＵＬバースト領域３２４-３と、を含む。
【００３５】
さらに、２番目のフレーム３０３は、ＭＡＰヘッダー領域３３０と、複数のＭＡＰ領域３３２-１、３３２-２、３３２-３、及び３３２-４と、ＤＬバースト領域とを含む。２番目のフレーム３０３は、プリアンブル領域を含まない。
【００３６】
ＤＬバースト領域は、ダイバーシティモードのために割り当てられたＤＬバースト領域３３４-１と、帯域ＡＭＣモードのために割り当てられたＤＬバースト領域３３４-２と、単一入力単一出力（Single Input Single Output：以下、“ＳＩＳＯ”と称する。）ダイバーシティモードのために割り当てられたダイバーシティＳＩＳＯ領域３３４-３と、ＭＩＭＯミッドアンブル領域３３４-４と、を含む。
【００３７】
ＭＩＭＯミッドアンブル領域３３４-４は、ＭＩＭＯモードの円滑な動作のために、すべてのユーザに対してすべての帯域に関するチャネル情報を取得するために使用される領域に対応する。また、ＭＩＭＯミッドアンブル領域３３４-４は、タイル構成を有する。このタイル構成については、図４を参照してより詳細に説明する。
【００３８】
また、２番目のフレーム３０３のＤＬバースト領域３３４-３は、ダイバーシティＳＩＳＯモードのために割り当てられる。このダイバーシティＳＩＳＯモードのために割り当てられたＤＬバースト領域３３４-３は、ＳＩＳＯ送信技術及びダイバーシティだけのために使用される。
【００３９】
図４は、本発明の実施形態による通信システムにおけるＤＬサブフレームの構成を詳細に示す図である。
【００４０】
図４を参照すると、このＤＬサブフレームは、７ｘ４タイル構成４００を含む。また、１本のサブチャネルは、４個の７ｘ４タイル４００-１、４００-２、４００-３、及び４００-４を含み、この７ｘ４タイルの各々は、４個のパイロットトーン及び２４個のデータトーンを含む。したがって、１本のサブチャネルは、９６個のデータトーンを含む。すなわち、このサブチャネルは、４個のＯＦＤＭシンボル単位で割り当てられる。この７ｘ４タイルで構成される領域は、ＤＬノーマルサブチャネルと定義する。このＤＬノーマルサブチャネルは、ＳＩＳＯ、ＭＩＭＯ、ダイバーシティ、及び帯域ＡＭＣモードのために割り当てられたＤＬバースト領域を含む。
【００４１】
一方、このＤＬサブフレーム内のダイバーシティＳＩＳＯモードのために割り当てられた領域は、７ｘ２タイル構成４１０を含む。これは、このＤＬサブフレームの１番目のフレームのシンボルの個数が残りのフレームのシンボル個数と異なるためである。この１番目のフレームには、次のフレームで使用されないプリアンブル領域及びＢＣＨ領域に使用される２個の追加的なシンボルがある。したがって、２番目のフレームでは、２個のシンボルだけが使用されることができる。この２番目のフレームの２シンボル領域は、ダイバーシティＳＩＳＯモードのために割り当てられた領域として使用される。このダイバーシティＳＩＳＯモードのために割り当てられた領域は、８個の７ｘ２タイル４１０-１、４１０-２、４１０-３、４１０-４、４１０-５、４１０-６、４１０-７、及び４１０-８を含む２本のサブチャネルを構成する。
【００４２】
図５は、本発明の実施形態による通信システムにおけるＵＬサブフレームの構成を示す図である。
【００４３】
図５を参照すると、このＵＬサブフレームは、７ｘ２タイル構成５００を有する。また、１本のサブチャネルは、４個の７ｘ２タイル５００-１、５００-２、５００-３、及び５００-４を含み、この７ｘ２タイルの各々は、２個のパイロットトーンと１２個のデータトーンとを含む。したがって、１本のサブチャネルは、４８個のデータトーンを含む。
【００４４】
図６は、本発明の実施形態による通信システムにおける基地局のフレーム生成過程を示すフロー図である。
【００４５】
図６を参照すると、基地局は、ステップ６０１で、移動端末間の同期の取得のために使用されるプリアンブル信号を生成する。その後に、ステップ６０３で、基地局は、ＤＬ領域とＵＬ領域間の比率、ダイバーシティ領域と帯域ＡＭＣ領域間の割当て比率のようなシステム情報に基づいてＢＣＨチャネルを生成する。
【００４６】
その後に、ステップ６０５で、基地局は、このシステム情報及びチャネル品質指示（Channel Quality Indication：以下、“ＣＱＩ”と称する。）情報に基づいてＭＡＰを生成する。ステップ６０７で、基地局は、バースト領域マッピング、すなわち、サブチャネルマッピングを実行する。言い換えれば、基地局は、ダイバーシティ及び帯域ＡＭＣモードのために割り当てられた領域、すなわち、ＳＩＳＯ及びＭＩＭＯモードのために割り当てられたサブチャネル領域をマッピングする。ステップ６０９で、基地局は、この生成されたフレームの変調及び送信を行う。
【００４７】
図７は、本発明の実施形態による通信システムにおける移動端末のフレーム復号過程を示すフロー図である。
【００４８】
図７を参照すると、ステップ７０１で、移動端末は、基地局により送信されたフレームを受信し、このフレームを基地局により適用された変調方式に対応する復調方式に従って復調する。ステップ７０３で、移動端末は、このフレームのプリアンブル領域に含まれているプリアンブル信号を復号する。この復号されたプリアンブル信号を使用することにより、移動端末は、基地局との同期を取得することができ、基地局識別子又はセクター識別子を認識することができる。ステップ７０５で、移動端末は、ＢＣＨ領域を復号することにより、ＤＬ領域とＵＬ領域間の比率、ダイバーシティ領域と帯域ＡＭＣ領域間の割当て比率のようなシステム情報を取得する。
【００４９】
ステップ７０７で、移動端末は、ＭＡＰヘッダー領域を復号することにより、ＭＡＰサイズ情報及びＭＡＰのＭＣＳレベル情報を取得する。ステップ７０９で、移動端末は、ＭＡＰ領域を復号することによりバースト割当て情報を取得する。ステップ７１１で、このＭＡＰ領域から取得した情報に基づいて、移動端末は、ダイバーシティモードのために割り当てられたバースト領域又は帯域ＡＭＣモードのために割り当てられたバースト領域を検出した後に、この過程を終了する。
【００５０】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【図１】
2010519843.tif 000003
【図２】
2010519843.tif 000004
【図３】
2010519843.tif 000005
【図４】
2010519843.tif 000006
【図５】
2010519843.tif 000007
【図６】
2010519843.tif 000008
【図７】
2010519843.tif 000009
【手続補正書】
【提出日】平成21年8月20日(2009.8.20)
【手続補正１】
【補正対象書類名】明細書
【補正対象項目名】全文
【補正方法】変更
【補正の内容】
【発明の詳細な説明】
【技術分野】
【０００１】
本発明は、通信システムに関し、特に、通信システムにおけるフレーム構成方法及びシステムに関する。
【背景技術】
【０００２】
次世代通信システムが、発展してきており、それは無線近距離通信ネットワーク（Wireless Local Area Network：以下、“ＷＬＡＮ”と称する。）及び無線都市地域ネットワーク（Wireless Metropolitan Area Network：以下、“ＷＭＡＮ”と称する。）のような広帯域無線接続（Broadband Wireless Access：以下、“ＢＷＡ”と称する。）通信システムに移動性とサービス品質（Quality of Service：以下、“ＱｏＳ”と称する。）とを保証することができる。その主要通信システムは、ＩＥＥＥ（Institute of Electrical and Electronics Engineers）８０２．１６ｅ通信システムである。
【０００３】
ＩＥＥＥ８０２．１６ｅ通信システムは、無線ＭＡＮシステムの物理チャネルに広帯域送信網を支援するために、直交周波数分割多重（Orthogonal Frequency Division Multiplexing：以下、“ＯＦＤＭ”と称する。）／直交周波数分割多重接続（Orthogonal Frequency Division Multiple Access：以下、“ＯＦＤＭＡ”と称する。）方式を適用する通信システムである。
【０００４】
また、ＩＥＥＥ８０２．１６ｅ通信システムは、様々な送信方法を支援するために時分割多重送信方式を使用する。この時分割多重送信方式は、フレームごとにユーザが初期アクセスの際に最小の遅延でシステムにアクセスするようにするプリアンブルを送信する。さらに、この時分割多重送信方式は、時間により分割された様々なサービスを介してユーザの所定の状況に対する最適の送信方式を支援する。
【０００５】
図１は、従来の通信システムにおけるフレームの構成を示す図である。図１に示す例は、時分割複信（Time Division Duplexing：以下、“ＴＤＤ”と称する）フレーム構成に対応する。
【０００６】
図１を参照すると、このフレームは、ダウンリンク（Downlink：以下、“ＤＬ”と称する。）サブフレーム１００と、アップリンク（Uplink：以下、“ＵＬ”と称する。）サブフレーム１５０と、を含む。ＤＬサブフレーム１００は、プリアンブル領域１１０と、フレーム制御ヘッダー（Frame Control Header：以下、“ＦＣＨ”と称する。）領域１２０と、マップ（以下、“ＭＡＰ”と称する。）領域（例えば、ＤＬ-ＭＡＰ／ＵＬ-ＭＡＰ領域）１３０と、ＤＬデータバースト領域１４０-１乃至１４０-５と、を含む。ＵＬサブフレーム１５０は、ＵＬコントロール領域１６０と、ＵＬデータバースト領域１７０-１乃至１７０-３と、を含む。
【０００７】
プリアンブル領域１１０内において、プリアンブル信号は、信号送信装置（例えば、基地局）と信号受信装置（例えば、移動端末）間の同期のために送信される。ＦＣＨ領域１２０は、ＦＣＨを運搬し、これは、ＭＡＰ領域に適用された変調方式及びＭＡＰ領域の長さに関する情報を含む。
【０００８】
ＤＬ-ＭＡＰ／ＵＬ-ＭＡＰ領域１３０において、ＤＬ-ＭＡＰメッセージ及びＵＬ-ＭＡＰメッセージが送信され、ＤＬ-ＭＡＰメッセージ及びＵＬ-ＭＡＰメッセージは、各移動端末に割り当てられたＤＬデータバースト領域及びＵＬデータバースト領域が存在するか否かを示す情報と、この各移動端末に割り当てられたＤＬデータバースト領域及びＵＬデータバースト領域が存在する場合に、ＤＬデータバースト領域及びＵＬデータバースト領域に適用された位置及び変調方式に関する情報を含む。すべての移動端末がＤＬ-ＭＡＰメッセージ及びＵＬ-ＭＡＰメッセージの受信を要求するために、ＤＬ-ＭＡＰメッセージ及びＵＬ-ＭＡＰメッセージは、通信システムにおいて使用可能な変調及び符号化方式（Modulation and Coding Scheme：以下、“ＭＣＳ”と称する。）レベルの中で最も頑強な（robust）ＭＣＳレベルに従って変調及び符号化がなされた後に送信される。
【０００９】
また、保護領域である送信／受信切り替えのギャップ（Transmit/Receive Transition Gap：以下、“ＴＴＧ”と称する。）１８０は、ＤＬサブフレームとＵＬサブフレーム間に挿入され、受信／送信切替えのギャップ（Receive/Transmit Transition Gap：以下、“ＲＴＧ”と称する。）１９０は、フレーム間に挿入される。
【００１０】
図２は、従来の通信システムにおける様々な送信方法をサポートするフレームの構成を示す図である。図２に示す例は、時分割多重方式に従って複数のゾーンを順次に送信するために使用されるフレーム構成に対応する。
【００１１】
図２を参照すると、このフレームは、複数のゾーンを含む。具体的には、このフレームは、プリアンブルゾーン２１０と、 部分サブチャネルの活用（Partial Usage of Sub-channels：以下、“ＰＵＳＣ”と称する。）ゾーン２２０と、全体サブチャネルの活用（Full Usage of Sub-channels：以下、“ＦＵＳＣ”と称する。）領域２３０と、タイルサブチャネルの活用（Tile Usage of Sub-channels：以下、“ＴＵＳＣ”と称する。）領域２４０と、帯域適応変調及び符号化（Adaptive Modulation and Coding：以下、“ＡＭＣ”と称する。）領域２５０と、適応アンテナシステム（Adaptive Antenna System：以下、“ＡＡＳ”と称する。）ゾーン２６０と、を含む。
【００１２】
ＰＵＳＣゾーン２２０乃至ＡＡＳゾーン２６０は、このフレームのサブチャネル割当て方式に従って相互に区別され、このゾーンに関連した情報は、図１のＤＬフレーム１００内のＭＡＰ領域で送信される。
【００１３】
上述したように、従来の構成において、基地局は、フレーム毎にプリアンブルを移動端末に送信し、時分割多重方式に従って複数の送信方式を支援する。したがって、従来の通信システムのフレーム構成は、増加されたＭＡＰサイズ及び増加されたシステムオーバーヘッドを必然的に有せざるを得ない。
【発明の概要】
【発明が解決しようとする課題】
【００１４】
したがって、本発明は、上述した従来技術の問題点を解決するために提案されたものであり、その目的は、通信システムにおけるフレーム構成方法及びシステムを提供することにある。
【００１５】
本発明の他の目的は、通信システムにおける様々な送信方式を支援するフレーム構成方法及びシステムを提供することにある。
【００１６】
本発明のさらなる目的は、通信システムにおけるシステムオーバーヘッドを減少させることができるフレーム構成方法及びシステムを提供することにある。
【課題を解決するための手段】
【００１７】
上記のような目的を達成するために、本発明の実施形態の一態様によれば、通信システムにおけるマルチフレーム構成方法を提供する。上記方法は、１つのマルチフレームを構成するフレームの個数を決定するステップと、上記決定されたフレームの個数に従ってフレームを構成するステップとを有し、上記構成されたフレームの個数は、少なくとも２つであり、上記構成されたフレームの中で、第１のフレーム及び第２のフレームは、時間的に区別され、上記第１のフレーム及び上記第２のフレームの各々は、ダウンリンクサブフレーム及びアップリンクサブフレームを有し、上記第１のフレームのダウンリンクサブフレームは、基地局と移動端末間の同期の取得のために使用される基準信号を送信するための第１の領域と、システム情報及び上記マルチフレームに関連した共通制御情報を含む第２の領域と、ダウンリンクデータバーストの割当て情報及び変調方式情報を含む第３の領域と、ダイバーシティモードでダウンリンクデータバーストが割り当てられる第４の領域と、帯域適応変調及び符号化（ＡＭＣ）モードでダウンリンクデータバーストが割り当てられる第５の領域とを有し、上記第２のフレームのダウンリンクサブフレームは、ダウンリンクデータバーストの割当て情報及び変調方式情報を含む第６の領域と、上記ダイバーシティモードでダウンリンクデータバーストが割り当てられる第７の領域と、上記帯域ＡＭＣモードでダウンリンクデータバーストが割り当てられる第８の領域と、を有することを特徴とする。
【００１８】
本発明の実施形態の他の態様によれば、通信システムを提供する。上記通信システムは、１つのマルチフレームを構成するフレームの個数を決定し、上記決定されたフレームの個数に従ってフレームを構成する基地局を有し、上記構成されたフレームの個数は、少なくとも２つであり、上記構成されたフレームの中で、第１のフレーム及び第２のフレームは、時間的に区別され、上記第１のフレーム及び上記第２のフレームの各々は、ダウンリンクサブフレーム及びアップリンクサブフレームを有し、上記第１のフレームのダウンリンクサブフレームは、基地局と移動端末間の同期の取得のために使用される基準信号を送信するための第１の領域と、システム情報及び上記マルチフレームに関連した共通制御情報を含む第２の領域と、ダウンリンクデータバーストの割当て情報及び変調方式情報を含む第３の領域と、ダイバーシティモードでダウンリンクデータバーストが割り当てられる第４の領域と、帯域適応変調及び符号化（ＡＭＣ）モードでダウンリンクデータバーストが割り当てられる第５の領域とを有し、上記第２のフレームのダウンリンクサブフレームは、ダウンリンクデータバーストの割当て情報及び変調方式情報を含む第６の領域と、上記ダイバーシティモードでダウンリンクデータバーストが割り当てられる第７の領域と、上記帯域ＡＭＣモードでダウンリンクデータバーストが割り当てられる第８の領域と、を有することを特徴とする。
【００１９】
本発明の実施形態のさらに他の態様によれば、通信システムにおける基地局がフレーム構成に従う信号を送受信する方法を提供する。上記方法は、マルチフレームを用いて信号を移動端末に送受信するステップと、上記マルチフレームは、少なくとも２つのフレームを有し、上記少なくとも２つのフレームの各々は、ダウンリンクサブフレームとアップリンクサブフレームとを有し、上記少なくとも２つのフレームの中の１つは、上記第１の領域、第２の領域、第３の領域、及び第４の領域が含まれたダウンリンクサブフレームと、第５の領域及び第６の領域が含まれたダウンリンクサブフレームとを含み、上記信号を送受信するステップは、上記第１の領域のリソースを用いてプリアンブル信号を送信するステップと、上記第２の領域のリソースを用いて上記マルチフレームに関連した共通制御情報を送信するステップと、上記第３の領域のリソースを用いてダイバーシティモードで少なくとも１つのダウンリンクデータバーストを送信するステップと、上記第４の領域のリソースを用いて帯域適応変調及び符号化（ＡＭＣ）モードで少なくとも１つのダウンリンクデータバーストを送信するステップと、上記ダイバーシティモードで上記第５の領域のリソースを用いて送信された少なくとも１つのアップリンクデータバーストを上記移動端末から受信するステップと、上記帯域ＡＭＣモードで上記第６の領域のリソースを用いて送信された少なくとも１つのアップリンクデータバーストを上記移動端末から受信するステップと、を有することを特徴とする。
【発明の効果】
【００２０】
本発明の実施形態で提案したマルチフレーム構成は、従来のフレームより低いオーバーヘッドを有し、従来のフレームより短い最小フレームの長さを有し、これにより、フィードバック遅延を減少させ、システム歩留まりを増加させる。また、本発明の実施形態は、このマルチフレーム内のバースト領域を単一ゾーンに構成することにより、様々な送信技術を支援することができる。その結果、本発明の実施形態は、追加的なオーバーヘッドの発生を減少させることができるという長所がある。
【図面の簡単な説明】
【００２１】
【図１】従来の通信システムにおけるフレームの構成を示す図である。
【図２】従来の通信システムにおける様々な送信方法をサポートするフレームの構成を示す図である。
【図３】本発明の実施形態による通信システムにおけるフレームの構成を示す図である。
【図４】本発明の実施形態による通信システムにおけるＤＬサブフレームの構成を詳細に示す図である。
【図５】本発明の実施形態による通信システムにおけるＵＬサブフレームの構成を示す図である。
【図６】本発明の実施形態による通信システムにおける基地局のフレーム生成過程を示すフロー図である。
【図７】本発明の実施形態による通信システムにおける移動端末のフレーム復号過程を示すフロー図である。
【発明を実施するための形態】
【００２２】
本発明の詳細な構成および要素のような本発明の詳細な説明で定義される特徴は、本発明の実施形態の包括的な理解を助けるために提供されるものであり、ただ１つの実施形態にすぎない。したがって、本発明の範囲及び趣旨を逸脱することなく、ここに説明された実施形態の様々な変更及び変形が可能であるということは、当該技術分野における通常の知識を有する者には明らかである。また、明瞭性と簡潔性の観点から、当業者に良く知られている機能や構成に関する具体的な説明は、省略する。
【００２３】
本発明の実施形態は、通信システムにおいて、様々な送信技術を支援しつつもシステムオーバーヘッドを減少させることができるフレーム構成方法及びシステムを提案する。後述する本発明の実施形態は、マルチフレーム構成を提案する。言い換えれば、本発明の実施形態は、プリアンブル領域のシステムオーバーヘッドを減少させ、周波数分割多重（Frequency Division Multiplex：以下、“ＦＤＭ”と称する。）方式に従ってマップ（以下、“ＭＡＰ”と称する。）を送信することにより、全システムのオーバーヘッドを減少させるフレーム構成方法及びシステムを提案する。
【００２４】
また、本発明の実施形態は、このフレーム内のバースト領域を単一ゾーンとして構成し、様々な送信方式を支援できるフレーム構成方法及び装置を提案する。説明の便宜上、本発明の実施形態の下記の説明は、ＩＥＥＥ８０２．１６ｅ通信システムに基づいている。しかしながら、本発明の実施形態で提案するフレーム構成方法及びシステムは、他の通信システムにも適用可能である。
【００２５】
また、本発明の実施形態で提案するマルチフレーム構成は、少なくとも２つのフレームを含み、各フレームは、実際に２．５ｍｓ及び５ｍｓの中の１つの長さを有する。
【００２６】
図３は、本発明の実施形態による通信システムにおけるフレームの構成を示す図である。
【００２７】
図３を参照すると、このフレームは、複数のフレームを含むマルチフレーム３００の構成を有し、このフレームの個数は、この複数のフレームのそれぞれの長さに従って変更される。言い換えれば、マルチフレーム３００は、実際に２．５ｍｓの長さを有する８個のフレームを含むか、又は実際に５ｍｓの長さを有する４個のフレームを含む。以下では、マルチフレーム３００の各フレームが実際に５ｍｓの長さを有する例に基づいて説明する。
【００２８】
１番目のフレーム３０１は、ダウンリンク（Downlink：以下、“ＤＬ”と称する。）サブフレーム３０５と、アップリンク（Uplink：以下、“ＵＬ”と称する。）サブフレーム３０７と、を含む。
【００２９】
ＤＬサブフレーム３０５は、プリアンブル領域３１０と、ブロードキャストチャネル（Broadcasting Channel：以下、“ＢＣＨ”と称する。）領域３１２と、ＭＡＰヘッダー領域３１４と、複数のＭＡＰ領域３１６-１、３１６-２、及び３１６-３と、ＤＬデータバースト領域３１８-１乃至３１８-３と、を含む。ＤＬデータバースト領域３１８-１乃至３１８-３は、ダイバーシティモードでＤＬデータバーストが割り当てられたＤＬデータバースト領域３１８-１と、帯域ＡＭＣモードでＤＬデータバーストが割り当てられたＤＬデータバースト領域３１８-２と、多入力多出力（Multiple Input Multiple Output：以下、“ＭＩＭＯ”と称する。）ミッドアンブル領域３１８-３と、を含む。
【００３０】
ＵＬサブフレーム３０７は、ＵＬコントロール領域３２０と、ＵＬデータバースト領域３２４-１、３２４-２、及び３２４-３と、を含む。ＵＬデータバースト領域３２４-１、３２４-２、及び３２４-３は、ＭＩＭＯモードでＵＬデータバーストが割り当てられたＵＬデータバースト領域３２４-１と、一般的なＵＬデータバースト領域３２４-２と、帯域ＡＭＣモードでＵＬデータバーストが割り当てられたＵＬデータバースト領域３２４-３とを含む。
【００３１】
ＤＬサブフレーム３０５のプリアンブル領域３１０において、プリアンブル信号は、信号送信装置（例えば、基地局）と信号受信装置（例えば、移動端末）間の同期取得のために送信される。また、プリアンブル領域３１０のコンテンツは、マルチフレーム３００毎に１回だけ送信される。ＢＣＨ領域３１２は、システム情報及びマルチフレーム情報を含み、カバレッジの確保のためにセクタースクランブリング及び１／１２の符号化率を支援する。ここで、このマルチフレーム情報は、すべての移動端末が共通に受信すべきブロードキャスト制御情報を意味する。
【００３２】
ＭＡＰヘッダー領域３１４及びＭＡＰ領域３１６-１、３１６-２、及び３１６-３は、８個のシンボル期間の各々に位置することができ、ＦＤＭを使用して区別される。また、ＭＡＰヘッダー領域３１４は、ＭＡＰサイズ情報及び複数のＭＡＰの変調及び符号化方式（Modulation and Coding Scheme：以下、“ＭＣＳ”と称する。）情報を含む。さらに、ＭＡＰ領域３１６-１、３１６-２、及び３１６-３は、相互に異なるＭＣＳレベル及びパワーブースティングレベルを有するように設定されることができる。
【００３３】
ＤＬデータバースト領域３１８-１乃至３１８-３は、ダイバーシティモードでＤＬデータバーストが割り当てられたＤＬデータバースト領域３１８-１と、帯域ＡＭＣモードでＤＬデータバーストが割り当てられたＤＬデータバースト領域３１８-２と、ＭＩＭＯミッドアンブル領域３１８-３と、を含む。
【００３４】
また、ＵＬサブフレーム３０７のＵＬデータバースト領域は、ＭＩＭＯモードでＵＬデータバーストが割り当てられたＵＬデータバースト領域３２４-１と、一般的なＵＬデータバースト領域３２４-２と、帯域ＡＭＣモードでＵＬデータバーストが割り当てられたＵＬデータバースト領域３２４-３と、を含む。
【００３５】
さらに、２番目のフレーム３０３は、ＭＡＰヘッダー領域３３０と、複数のＭＡＰ領域３３２-１、３３２-２、３３２-３、及び３３２-４と、ＤＬデータバースト領域とを含む。２番目のフレーム３０３は、プリアンブル領域及びＢＣＨ領域を含まない。
【００３６】
ＤＬデータバースト領域３３４-１乃至３３４-４は、ダイバーシティモードでＤＬデータバーストが割り当てられたＤＬデータバースト領域３３４-１と、帯域ＡＭＣモードでＤＬデータバーストが割り当てられたＤＬデータバースト領域３３４-２と、単一入力単一出力（Single Input Single Output：以下、“ＳＩＳＯ”と称する。）ダイバーシティモードでＤＬデータバーストが割り当てられたダイバーシティＳＩＳＯ領域３３４-３と、ＭＩＭＯミッドアンブル領域３３４-４と、を含む。
【００３７】
ＭＩＭＯミッドアンブル領域３３４-４は、ＭＩＭＯモードの円滑な動作のために、すべてのユーザに対してすべての帯域に関するチャネル情報を取得するために使用される領域に対応する。また、ＭＩＭＯミッドアンブル領域３３４-４は、タイル構成を有する。このタイル構成については、図４を参照してより詳細に説明する。
【００３８】
また、２番目のフレーム３０３のＤＬデータバースト領域３３４-３は、ダイバーシティＳＩＳＯモードでＤＬデータバーストが割り当てられる領域である。このＤＬデータバースト領域３３４-３は、ＳＩＳＯ送信技術及びダイバーシティのために使用される。
【００３９】
図４は、本発明の実施形態による通信システムにおけるＤＬサブフレームの構成を詳細に示す図である。
【００４０】
図４を参照すると、このＤＬサブフレームは、７ｘ４タイル構成４００を含む。また、１本のサブチャネルは、４個の７ｘ４タイル４００-１、４００-２、４００-３、及び４００-４を含み、この７ｘ４タイルの各々は、４個のパイロットトーン及び２４個のデータトーンを含む。したがって、１本のサブチャネルは、９６個のデータトーンを含む。すなわち、このサブチャネルは、４個のＯＦＤＭシンボル単位で割り当てられる。この７ｘ４タイルで構成される領域は、ＤＬノーマルサブチャネルと定義する。このＤＬノーマルサブチャネルは、ＳＩＳＯ、ＭＩＭＯ、ダイバーシティ、及び帯域ＡＭＣモードのために割り当てられたＤＬデータバースト領域を含む。
【００４１】
一方、このＤＬサブフレーム内のダイバーシティＳＩＳＯモードのために割り当てられた領域は、７ｘ２タイル構成４１０を含む。これは、このＤＬサブフレームの１番目のフレームのシンボルの個数が残りのフレームのシンボル個数と異なるためである。この１番目のフレームには、次のフレームで使用されないプリアンブル領域及びＢＣＨ領域に使用される２個の追加的なシンボルがある。したがって、２番目のフレームでは、２個のシンボルだけが使用されることができる。この２番目のフレームの２シンボル領域は、ダイバーシティＳＩＳＯモードのために割り当てられた領域として使用される。このダイバーシティＳＩＳＯモードのために割り当てられた領域は、８個の７ｘ２タイル４１０-１、４１０-２、４１０-３、４１０-４、４１０-５、４１０-６、４１０-７、及び４１０-８を含む２本のサブチャネルを構成する。
【００４２】
図５は、本発明の実施形態による通信システムにおけるＵＬサブフレームの構成を示す図である。
【００４３】
図５を参照すると、このＵＬサブフレームは、７ｘ２タイル構成５００を有する。また、１本のサブチャネルは、４個の７ｘ２タイル５００-１、５００-２、５００-３、及び５００-４を含み、この７ｘ２タイルの各々は、２個のパイロットトーンと１２個のデータトーンとを含む。したがって、１本のサブチャネルは、４８個のデータトーンを含む。
【００４４】
図６は、本発明の実施形態による通信システムにおける基地局のフレーム生成過程を示すフロー図である。
【００４５】
図６を参照すると、基地局は、ステップ６０１で、移動端末間の同期の取得のために使用されるプリアンブル信号を生成する。その後に、ステップ６０３で、基地局は、ＤＬ領域とＵＬ領域間の比率、ダイバーシティ領域と帯域ＡＭＣ領域間の割当て比率のようなシステム情報に基づいてＢＣＨチャネルを生成する。
【００４６】
その後に、ステップ６０５で、基地局は、このシステム情報及びチャネル品質指示（Channel Quality Indication：以下、“ＣＱＩ”と称する。）情報に基づいてＭＡＰを生成する。ステップ６０７で、基地局は、バースト領域マッピング、すなわち、サブチャネルマッピングを実行する。言い換えれば、基地局は、ダイバーシティ及び帯域ＡＭＣモードのために割り当てられた領域、すなわち、ＳＩＳＯ及びＭＩＭＯモードのために割り当てられたサブチャネル領域をマッピングする。ステップ６０９で、基地局は、この生成されたフレームの変調及び送信を行う。
【００４７】
図７は、本発明の実施形態による通信システムにおける移動端末のフレーム復号過程を示すフロー図である。
【００４８】
図７を参照すると、ステップ７０１で、移動端末は、基地局により送信されたフレームを受信し、このフレームを基地局により適用された変調方式に対応する復調方式に従って復調する。ステップ７０３で、移動端末は、このフレームのプリアンブル領域に含まれているプリアンブル信号を復号する。この復号されたプリアンブル信号を使用することにより、移動端末は、基地局との同期を取得することができ、基地局識別子又はセクター識別子を認識することができる。ステップ７０５で、移動端末は、ＢＣＨ領域を復号することにより、ＤＬ領域とＵＬ領域間の比率、ダイバーシティ領域と帯域ＡＭＣ領域間の割当て比率のようなシステム情報を取得する。
【００４９】
ステップ７０７で、移動端末は、ＭＡＰヘッダー領域を復号することにより、ＭＡＰサイズ情報及びＭＡＰのＭＣＳレベル情報を取得する。ステップ７０９で、移動端末は、ＭＡＰ領域を復号することによりデータバースト割当て情報を取得する。ステップ７１１で、このＭＡＰ領域から取得した情報に基づいて、移動端末は、ダイバーシティモードのために割り当てられたデータバースト領域又は帯域ＡＭＣモードのために割り当てられたデータバースト領域を検出した後に、この過程を終了する。
【００５０】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【手続補正２】
【補正対象書類名】特許請求の範囲
【補正対象項目名】全文
【補正方法】変更
【補正の内容】
【特許請求の範囲】
【請求項１】
通信システムにおけるマルチフレーム構成方法であって、
１つのマルチフレームを構成するフレームの個数を決定するステップと、
前記決定されたフレームの個数に従ってフレームを構成するステップと、
を有し、
前記構成されたフレームの個数は、少なくとも２つであり、
前記構成されたフレームの中で、第１のフレーム及び第２のフレームは、時間的に区別され、
前記第１のフレーム及び前記第２のフレームの各々は、ダウンリンクサブフレーム及びアップリンクサブフレームを有し、
前記第１のフレームのダウンリンクサブフレームは、基地局と移動端末間の同期の取得のために使用される基準信号を送信するための第１の領域と、システム情報及び前記マルチフレームに関連した共通制御情報を含む第２の領域と、ダウンリンクデータバーストの割当て情報及び変調方式情報を含む第３の領域と、ダイバーシティモードでダウンリンクデータバーストが割り当てられる第４の領域と、帯域適応変調及び符号化（ＡＭＣ）モードでダウンリンクデータバーストが割り当てられる第５の領域とを有し、
前記第２のフレームのダウンリンクサブフレームは、ダウンリンクデータバーストの割当て情報及び変調方式情報を含む第６の領域と、前記ダイバーシティモードでダウンリンクデータバーストが割り当てられる第７の領域と、前記帯域ＡＭＣモードでダウンリンクデータバーストが割り当てられる第８の領域と、を有することを特徴とするマルチフレーム構成方法。
【請求項２】
前記第４の領域及び前記第５の領域は、前記第４の領域及び前記第５の領域の周波数帯域により区別され、前記第１のフレームのダウンリンクサブフレームは、ミッドアンブル信号が送信される第９の領域を有することを特徴とする請求項１に記載のマルチフレーム構成方法。
【請求項３】
前記マルチフレームは、前記構成されたフレームの個数が８個である場合に、前記構成されたフレームの各々は、実際に２．５ｍｓの長さを有し、前記構成されたフレームの個数が４個である場合に、前記構成されたフレームの各々は、実際に５ｍｓの長さを有することを特徴とする請求項１に記載のマルチフレーム構成方法。
【請求項４】
前記第１のフレームのアップリンクサブフレームは、アップリンク制御のための第１０の領域と、多入力多出力（ＭＩＭＯ）モードでアップリンクデータバーストが割り当てられる第１１の領域と、前記ダイバーシティモードでアップリンクデータバーストが割り当てられる第１２の領域と、前記帯域ＡＭＣモードでアップリンクデータバーストが割り当てられる第１３の領域と、を有することを特徴とする請求項１に記載のマルチフレーム構成方法。
【請求項５】
前記第２のフレームのダウンリンクサブフレームは、ミッドアンブル信号が送信される第１４の領域及びダイバーシティ単一入力単一出力（ＳＩＳＯ）モードでダウンリンクデータバーストが割り当てられる第１５の領域を有することを特徴とする請求項１に記載のマルチフレーム構成方法。
【請求項６】
通信システムであって、
１つのマルチフレームを構成するフレームの個数を決定し、前記決定されたフレームの個数に従ってフレームを構成する基地局を有し、
前記構成されたフレームの個数は、少なくとも２つであり、
前記構成されたフレームの中で、第１のフレーム及び第２のフレームは、時間的に区別され、
前記第１のフレーム及び前記第２のフレームの各々は、ダウンリンクサブフレーム及びアップリンクサブフレームを有し、
前記第１のフレームのダウンリンクサブフレームは、基地局と移動端末間の同期の取得のために使用される基準信号を送信するための第１の領域と、システム情報及び前記マルチフレームに関連した共通制御情報を含む第２の領域と、ダウンリンクデータバーストの割当て情報及び変調方式情報を含む第３の領域と、ダイバーシティモードでダウンリンクデータバーストが割り当てられる第４の領域と、帯域適応変調及び符号化（ＡＭＣ）モードでダウンリンクデータバーストが割り当てられる第５の領域と、を有し、
前記第２のフレームのダウンリンクサブフレームは、ダウンリンクデータバーストの割当て情報及び変調方式情報を含む第６の領域と、前記ダイバーシティモードでダウンリンクデータバーストが割り当てられる第７の領域と、前記帯域ＡＭＣモードでダウンリンクデータバーストが割り当てられる第８の領域と、を有することを特徴とする通信システム。
【請求項７】
前記第４の領域及び前記第５の領域は、前記第４の領域及び前記第５の領域の周波数帯域により区別され、前記第１のフレームのダウンリンクサブフレームは、ミッドアンブル信号を送信する第９の領域を有することを特徴とする請求項６に記載の通信システム。
【請求項８】
前記マルチフレームは、前記構成されたフレームの個数が８個である場合に、前記構成されたフレームの各々は、実際に２．５ｍｓの長さを有し、前記構成されたフレームの個数が４個である場合に、前記構成されたフレームの各々は、実際に５ｍｓの長さを有することを特徴とする請求項６に記載の通信システム。
【請求項９】
前記第１のフレームのアップリンクサブフレームは、アップリンク制御のための第１０の領域と、多入力多出力（ＭＩＭＯ）モードでアップリンクデータバーストが割り当てられる第１１の領域と、前記ダイバーシティモードでアップリンクデータバーストが割り当てられる第１２の領域と、前記帯域ＡＭＣモードでアップリンクデータバーストが割り当てられる第１３の領域と、を有することを特徴とする請求項６に記載の通信システム。
【請求項１０】
前記第２のフレームのダウンリンクサブフレームは、ミッドアンブル信号が送信される第１４の領域及びダイバーシティ単一入力単一出力（ＳＩＳＯ）モードでダウンリンクデータバーストが割り当てられる第１５の領域を有することを特徴とする請求項６に記載の通信システム。
【請求項１１】
通信システムにおける基地局がフレーム構成に従う信号を送受信する方法であって、
マルチフレームを用いて信号を移動端末に送受信するステップを含み、
前記マルチフレームは、少なくとも２つのフレームを有し、前記少なくとも２つのフレームの各々は、ダウンリンクサブフレームとアップリンクサブフレームとを有し、前記少なくとも２つのフレームの中の１つは、第１の領域、第２の領域、第３の領域、及び第４の領域が含まれたダウンリンクサブフレームと、第５の領域及び第６の領域が含まれたアップリンクサブフレームとを有し、
前記信号を送受信するステップは、
前記第１の領域のリソースを用いてプリアンブル信号を送信するステップと、
前記第２の領域のリソースを用いて前記マルチフレームに関連した共通制御情報を送信するステップと、
前記第３の領域のリソースを用いてダイバーシティモードで少なくとも１つのダウンリンクデータバーストを送信するステップと、
前記第４の領域のリソースを用いて帯域適応変調及び符号化（ＡＭＣ）モードで少なくとも１つのダウンリンクデータバーストを送信するステップと、
前記ダイバーシティモードで前記第５の領域のリソースを用いて送信された少なくとも１つのアップリンクデータバーストを前記移動端末から受信するステップと、
前記帯域ＡＭＣモードで前記第６の領域のリソースを用いて送信された少なくとも１つのアップリンクデータバーストを前記移動端末から受信するステップと、
を有することを特徴とする方法。
【請求項１２】
前記第１の領域及び前記第２の領域は、前記少なくとも２つのフレームの中の１つが含むダウンリンクサブフレームのみに含まれ、前記第３の領域と前記第４の領域とは、前記第３の領域と前記第４の領域との周波数帯域により区別されることを特徴とする請求項１１に記載の方法。
【請求項１３】
前記マルチフレームに含まれたフレームの個数が８個である場合に、前記８個のフレームの各々は、実際に２．５ｍｓの長さを有し、前記マルチフレームに含まれたフレームの個数が４個である場合に、前記フレームの各々は、実際に５ｍｓの長さを有することを特徴とする請求項１１に記載の方法。
【請求項１４】
前記ダウンリンクサブフレームに含まれた第７の領域のリソースを用いてミッドアンブルを送信するステップと、
前記ダウンリンクサブフレームに含まれた第８の領域のリソースを用いてマップ（ＭＡＰ）情報を送信するステップと、をさらに有することを特徴とする請求項１１に記載の方法。
【請求項１５】
前記マルチフレームに含まれている少なくとも２つのフレームの中で前記第１の領域及び前記第２の領域を含まないダウンリンクサブフレームを構成するフレームで、前記ダウンリンクサブフレームに含まれた第９の領域のリソースを用いてダイバーシティ単一入力単一出力（ＳＩＳＯ）モードでダウンリンクデータバーストを送信するステップをさらに有することを特徴とする請求項１１に記載の方法。
【国際調査報告】
2010519843.tif 000010
2010519843.tif 000011